(57)【特許請求の範囲】
【請求項１】
冠状動脈を再構成するための検査装置であって、
少なくとも１つのＸ線画像取得装置と、
計算ユニットと、
心電図装置と、
表示装置と、
を有し、
前記心電図装置は、ゲーティング信号を供給し、
前記画像取得装置は、Ｃタイプであるとともに、前記冠状動脈の左又は右分岐の一方に注入された造影剤により、前記冠状動脈の左及び右分岐の前記一方の第１のゲーティングされたＸ線画像シーケンスを取得し、前記冠状動脈の他方の分岐に注入された造影剤により、前記冠状動脈の前記他方の分岐の第２のゲーティングされたＸ線画像シーケンスを取得し、
前記計算ユニットは、前記左及び右冠状動脈のゲーティングされた再構成を実施し、前記冠状動脈のボリュームデータを生成し、前記冠状動脈の前記ボリュームデータを時間的に位置合わせし、前記冠状動脈の前記ボリュームデータを空間的に位置合わせし、前記冠状動脈の前記ボリュームデータを組み合わせて、組み合わせられた冠状動脈ツリーボリュームデータセットを生成し、
前記表示装置は、前記組み合わせられた冠状動脈ツリーボリュームデータセット画像を視覚化する、装置。
【請求項２】
前記計算ユニットが、
各心位相ごとに、組み合わせられた冠状動脈ツリーボリュームデータセットを生成し、
少なくとも１つの組み合わせられた冠状動脈ツリーフィルムシーケンスを生成する、請求項１に記載の装置。
【請求項３】
前記計算ユニットが、前記左及び右冠状動脈の変位量を決定し、前記決定された変位量を視覚的な値に変換し、
前記表示装置が、前記変位量を表示する、請求項１又は２に記載の装置。
【請求項４】
前記計算ユニットが、前記変位量を時間と関連付けることによって、前記左及び右冠状動脈の変位のスピードを決定し、前記決定されたスピード値を視覚的な値に変換し、
前記表示装置が、スピードオカレンスを表示する、請求項３に記載の装置。
【請求項５】
請求項１乃至４のいずれか１項に記載の装置を具備するＸ線イメージングシステム。
【発明の詳細な説明】
【技術分野】
【０００１】
本発明は、冠状動脈の再構成方法及び冠状動脈を再構成するための検査装置に関する。
【背景技術】
【０００２】
診断目的、治療計画又は介入の結果制御のための介入の間、いわゆるＣタイプのＸ線画像生成装置を使用することによって、心臓を部分的に囲む左及び右冠状動脈を視覚化することが知られている。
【発明の概要】
【発明が解決しようとする課題】
【０００３】
視覚化は、通常、少なくとも２つの取得された画像による冠状動脈の再構成に基づく。取得のために、冠状動脈の左又は右分岐（ＬＣＡ又はＲＣＡ）に選択的に造影剤が注入される。言い換えると、左分岐に関する画像は、右分岐の画像の取得とは別に、取得される。通常、取得は、冠状動脈ツリーの全体に関する診断のために、独立して解析される。しかしながら、これは、ユーザに、すなわち例えば外科医又は心臓専門医に、不十分な情報を提供することが分かっている。しかしながら、現在の冠状動脈状況に関する包括的な情報を提供するためのニーズが存在しうる。
【０００４】
本発明の目的は、改善された冠状動脈情報を提供することである。
【課題を解決するための手段】
【０００５】
この目的は、独立請求項による冠状動脈を再構成するための検査装置及び冠状動脈の再構成方法によって達成されうる。
【０００６】
例示の実施形態において、以下のステップを含む方法が提供される。
【０００７】
最初に、ゲーティング信号が供給される。次に、冠状動脈の左又は右分岐の一方の第１のゲーティングされたＸ線画像シーケンスが、冠状動脈の左又は右分岐の前記一方に注入された造影剤により、取得される。更に、冠状動脈の他方の分岐の第２のゲーティングされたＸ線画像シーケンスが、前記他方の分岐に注入された造影剤により、取得される。左及び右冠状動脈が再構成され、冠状動脈のボリュームデータが生成される。左及び右冠状動脈のボリュームデータは、時間的に位置合わせされる。左及び右冠状動脈のボリュームデータは更に、空間的に位置合わせされる。左及び右冠状動脈の位置合わせされたボリュームデータは組み合わせられ、組み合わせられた冠状動脈ツリーボリュームデータセットが生成される。最後に、組み合わせられた冠状動脈ツリーボリュームデータセットが視覚化される。
【０００８】
ボリュームデータセットは、例えば３次元ボクセルデータセットを含む。更に、ボリュームデータセットは、例えばレンダリングされた表面又は中心線について、抽出されたモデルを含むことが可能である。本発明によれば、ボリュームデータセットは更に、例えば時間との関連性のような追加情報を含むことができ、これについては、別の実施形態に関して以下に記述される。言い換えると、組み合わせられた冠状動脈ツリーボリュームデータセットは、冠状動脈の左分岐及び冠状動脈の右分岐に関する情報を提供する。冠状動脈ツリーの全体を観察することは、３次元ビューの中にすべての冠状動脈を一度に表示することによって、冠状動脈ジオメトリの評価を、可能性をもって簡略化する。これは、患者の心臓状況に関する広範にわたる知識を、心臓外科医又は心臓専門医のようなユーザに提供する。例示のアプリケーションとして、本発明は、冠状動脈内の完全閉塞の評価を可能にする。動脈ツリーの片側の半分のみを別個に取得する場合、すなわち左又は右分岐のみを取得する場合、冠状動脈内のこのような閉塞は、閉塞の後側のボリュームが画像取得中に造影剤で充填されないので、非可視の動脈ボリュームを生じさせるだけである。本発明によれば、閉塞された血管の場合、個々の他方の分岐からの逆行する充填が、取得プロシージャ中に生じる。それによって、さもなければ見えない閉塞された血管のロケーションを明らかにすることが可能である。右冠状動脈及び左冠状動脈の共同の視覚化は、閉塞の前方及び後方の血管を示す。
【０００９】
ゲーティングされた取得（gated acquisition）という語は、時間基準信号がレトロスペクティブゲーティングを可能にするために供給される連続的な取得を表す。画像は、連続取得シーケンスの完了後、例えばゲーティング信号として心電図を提供することによって投影を心位相と関連付けることにより、選択される。プロスペクティブゲーティングを達成することも可能であるが、これは、１つの取得からすべての心位相を再構成する可能性を低減する。
【００１０】
上述の方法が、同じ心周期の動脈ツリーの両側が表示されるという視覚的効果をもつことに注意すべきである。言い換えると、動脈ツリー分岐は、それらが現在観察されている例えば患者のような対象内に有するのと同じ直接的な関係をディプレイ上に有する。これは、本発明の方法が、表示されている生成された画像によって、容易に検出されることができることを意味する。
【００１１】
好適な実施形態により、冠状動脈の両方の分岐が一旦位置合わせされると、情報は、他のソースからの付加の情報と一緒に表示されることも可能であり、例えば冠状静脈又は他の動脈と一緒の組み合わせられた表示が提供されうる。
【００１２】
例示の実施形態によれば、第１及び第２のゲーティングされたＸ線画像シーケンスは、回転冠状動脈血管造影画像シーケンスである。
【００１３】
これは、再構成プロシージャステップのための改善された取得データを提供する。
【００１４】
例示の実施形態において、再構成はトモグラフィック再構成である。
【００１５】
これは、冠状動脈ツリー分岐に関する詳細な情報を提供し、これは更に、かなり細く小さい分岐部の視覚化を提供する。言い換えると、これは、完全な分岐の視覚化を可能にする。それゆえ、ユーザに提供される情報は、患者の状況のなお一層良好な解析を可能にする。
【００１６】
例示の実施形態において、組み合わせられた冠状動脈ツリーボリュームデータセットが、各心位相ごとに生成され、各心位相は、ゲーティング信号に関して時間的に位置合わせされる。
【００１７】
従って、視覚的に理解可能な情報が、それぞれ異なる心位相について提供され、冠状動脈状況の完全な解析のために必要な情報を提供する。
【００１８】
別の例示の実施形態において、少なくとも１つの組み合わせられた冠状動脈ツリーフィルムシーケンスが生成される。
【００１９】
フィルムシーケンスを生成することによって、心臓の動きに関する動的な情報が提供されることができる。例えば、フィルムシーケンスが表示されることにより、状況のより簡単な理解を例えば外科医のようなユーザに与えることができる。
【００２０】
方法の別の例示の実施形態において、左及び右動脈の変位量が決定される。決定された変位値は、視覚的な値に変換される。更に、変位量が表示される。
【００２１】
本発明の組み合わせられた時間連続の再構成を提供することによって、心臓の更なる動的解析プロシージャのための基礎が確立される。視覚的なやり方で変位情報を提供することによって、すなわち、変位値が、例えばそれぞれ異なるグレースケールでありうる明るさ又は色のような視覚的な情報に符号化されることによって、情報は、ユーザによって非常に容易に認識されることができる。
【００２２】
他の例示の実施形態において、左及び右動脈の変位のスピードは、変位値を時間と関連付けることによって決定される。決定されたスピード値は、視覚的な値に変換される。スピードオカレンスは、ディスプレイ上に表示されることができる。
【００２３】
これは、心臓の動きに関する更なる情報をユーザに提供する。これが可能であるのは、冠状動脈ツリーが心臓の大部分を囲むからである。従って、組み合わせられた冠状動脈ツリーの動きは、心臓の動き自体の良好な指標である。例えば、変位値及び／又は変位のスピード値を提供することによって、心臓の異常な動きの検出を助ける情報が提供され、これは結果的に、例えば心臓専門医による改善された診断を可能にする。
【００２４】
他の例示の実施形態において、方法は、左及び右動脈の互いに対する変位を決定するステップと、変位をプリセットされた変位値と比較するステップとを含む。変位情報が生成され、ディスプレイ上に表示される。
【００２５】
これは、例えば心臓の異常な動きの自動的な検出を可能にする。例えば、変位情報は、プリセットされた変位値を越えた変位が発生したことを示す信号を含むことができる。更に、前記越えている変位値の出現の頻度に関する情報を表示することも可能である。このような超過情報を提供することによって、ユーザは、より精密な検査が必要でありうるという第１の標示を与えられる。言い換えると、ユーザは、特定の変位値を越えているか否かを一見して検出することができる。超過情報が存在する場合、ユーザは、例えば最大変位又は変位の最大スピードのような、更なる変位情報をより詳しく調べることができる。
【００２６】
本発明によれば、さまざまな異なる態様の情報が、ディスプレイ上に一緒に表示される。例えば、冠状動脈ツリーボリュームデータセット又はモデル画像が、ディスプレイの主要な部分内に表示される。上述した例示の実施形態により、他の態様が、ディスプレイのより小さい部分に表示されることができ、組み合わせられた冠状動脈ツリーボリュームデータセット、例えばモデル画像、を表示するディスプレイ部分を囲んでもよい。ユーザが、ディスプレイのより小さい部分上に与えられる更なる情報に関心がある場合、インタフェースユニットに個々のコマンドに入力することによって、関心のあるより小さい部分が拡大されることができ、その場合、冠状動脈ツリーボリュームデータセット、例えばモデル、の画像のサイズが低減される。当然ながら、それぞれ異なるディスプレイ上に異なる情報を提供することもまた可能であり、これは、実際の状況のニーズに従って又はユーザのニーズに従って構成されることができる。
【００２７】
本発明によれば、例示の実施形態において、対象は更に、冠状動脈を再構成するための検査装置によって対処される。検査装置は、少なくとも１つのＸ線画像取得装置、計算ユニット、心電図装置及び表示装置を有する。心電図装置は、ゲーティング信号を供給するように適応される。画像取得装置は、Ｃタイプであるとともに、冠状動脈の左又は右分岐の一方に注入された造影剤により、冠状動脈の左及び右分岐の前記一方の第１のゲーティングされたＸ線画像シーケンスを取得し、冠状動脈の他方の分岐に注入された造影剤により、冠状動脈の前記他方の分岐の第２のゲーティングされたＸ線画像シーケンスを取得するように適応される。計算ユニットは、左及び右冠状動脈のゲーティングされた再構成を実施し、冠状動脈のボリュームデータを生成し、冠状動脈のボリュームデータを時間的に位置合わせし、冠状動脈のボリュームデータを空間的に位置合わせし、冠状動脈のボリュームデータを組み合わせ、組み合わせられた冠状動脈ツリーボリュームデータセットを生成するように適応される。表示装置は、組み合わせられた冠状動脈ツリーボリュームデータセット画像を視覚化するように適応される。
【００２８】
検査装置は、ユーザに、例えば患者の現在の冠状動脈状況に関する改善された情報を提供する可能性を与える。検査装置は、本発明により、組み合わせられた冠状動脈ツリーボリュームデータセット画像を視覚化することができるので、冠状動脈ジオメトリの評価が簡略化される。これは、冠状動脈状況の迅速な且つ信頼できる診断を可能にする。組み合わせられた冠状動脈ツリーボリュームデータセット画像、例えばモデル画像、は、心周期の同じ時間における動脈ツリーの両側を表示する。言い換えると、本発明の効果として、生成される画像上に示される動脈分岐は、実際に調査された動脈ツリーと同じ関係を有する。
【００２９】
装置の他の例示の実施形態は、従属請求項に示される。上述した方法の例示の実施形態に関して記述される態様及び利点は、更に、本発明による装置の例示の実施形態にも当てはまり、逆もまた同じである。
【００３０】
本発明は更に、上述の実施形態により及び個々の従属請求項に規定される実施形態により、検査装置を有するＸ線イメージングシステムを提供する。
【００３１】
従って、患者に関する改善された情報をユーザに供給し、Ｘ線イメージングシステムに関連する他の検査態様のために更に使用されることができるシステムが、提供されることができる。
【００３２】
本発明の別の例示の実施形態により、冠状動脈を再構成するためのコンピュータプログラムであって、プロセッサによって実行されるとき、プロセッサに上述の方法ステップを実行させるプログラムが記憶されたコンピュータ可読媒体が提供される。
【００３３】
更に、本発明の別の例示の実施形態により、冠状動脈を再構成するためのコンピュータプログラム要素であって、プロセッサによって実行されるとき、プロセッサに上述の方法ステップを実行させるコンピュータプログラム要素が提供される。
【００３４】
当業者であれば、本発明による冠状動脈の再構成方法は、コンピュータプログラムとして、すなわちソフトウェアによって、具体化されることができ、又は１又は複数の特別な電子最適化回路を使用して、すなわちハードウェアにおいて、具体化されることができ、又は方法は、ハイブリッド形式で、すなわちソフトウェアコンポーネント及びハードウェアコンポーネントによって、具体化されることができることが容易に理解される。
【００３５】
本発明のこの例示の実施形態は、最初からすぐに本発明を使用するコンピュータプログラム、及び更新によって既存のプログラムを本発明を使用するプログラムに変えるコンピュータプログラムの両方をカバーする。
【００３６】
更に、コンピュータプログラム要素は、上述した方法のプロシージャを実現するためにすべての必要なステップを提供することが可能でありうる。
【００３７】
本発明の他の例示の実施形態により、本発明の上述した実施形態の１つによる方法を実施するように構成されるコンピュータプログラム要素をダウンロードのために利用可能にする媒体が提供される。
【００３８】
例えば、既存のイメージングシステムは、プロセッサによって実行されるとき、システムに上述の方法ステップを実行させる新しいソフトウェアによってアップグレードされることができる。
【００３９】
本発明のこれらの及び他の見地は、図面を参照して以下に記述される例示の実施形態から明らかになる。
【図面の簡単な説明】
【００４０】
【図１】本発明による、冠状動脈を再構成するための一体化された検査装置を有するＸ線イメージングシステムを示す図。
【図２】本発明による、冠状動脈を再構成するための方法ステップを概略的に記述する図。
【図３】組み合わせられた左及び右冠状動脈分岐のボリュームレンダリングを示す図。
【図４】組み合わせられた冠状動脈ツリーボリュームデータセットの別のボリュームレンダリングを示す図。
【図５ａ】それぞれ異なる心位相について組み合わせられた動脈ツリーボリュームデータセットを生成する方法ステップを示す図。
【図５ｂ】それぞれ異なる心位相について組み合わせられた動脈ツリーボリュームデータセットを生成する方法ステップを示す図。
【図６ａ】図４の冠状動脈ツリーの最大変位量を示す図。
【図６ｂ】図４の冠状動脈ツリーの最大変位量を示す図。
【図７ａ】図４に示される冠状動脈ツリーの心周期の間の最大変位スピードを示す図。
【図７ｂ】図４に示される冠状動脈ツリーの心周期の間の最大変位スピードを示す図。
【発明を実施するための形態】
【００４１】
図１は、冠状動脈を再構成するための検査装置を有するＸ線イメージングシステム１０を概略的に示す。検査装置は、Ｘ線放射線を生成するために設けられるＸ線放射線源１２を有するＸ線画像取得装置を有する。テーブル１４は、検査されるべき被検体を受け取るために設けられる。更に、Ｘ線画像検出モジュール１６が、Ｘ線放射線源１２と反対側に位置し、すなわち放射線プロシージャの間、被検体は、Ｘ線放射線源１２と検出モジュール１６との間に位置する。検出モジュール１６は、データをデータ処理ユニット又は計算ユニット１８に送信する。計算ユニット１８は、検出モジュール１６及び放射線源１２に接続されている。計算ユニット１８は、検査室内の空間を節約するために、テーブル１４の下に位置する。当然ながら、計算ユニット１８は、例えば異なる部屋又はラボラトリのような異なる場所に位置することもできる。更に、表示装置２０が、Ｘ線イメージングシステムを動作させている人に対して情報を表示するために、テーブル１４の近傍に配置される。人は、例えば心臓専門医又は心臓外科医のような臨床医でありうる。好適には、表示装置２０は、検査状況に依存して個別の調整を可能にするために、移動可能に取り付けられている。更に、インタフェースユニット２２が、ユーザによって情報を入力するために配置される。基本的に、画像検出モジュール１６は、被検体をＸ線放射線に暴露することによって、画像を生成し、前記画像は、データ処理ユニット１８において更に処理される。図示される例は、いわゆるＣタイプのＸ線画像取得装置であることに注意されたい。Ｘ線画像取得装置は、Ｃの形のアームを有し、画像検出モジュール１６は、Ｃアームの一端に配置され、Ｘ線放射線源１２は、Ｃアームの反対の端部に位置する。Ｃアームは、移動可能に取り付けられ、テーブル１４上に位置する関心対象の周りで回転されることができる。言い換えると、さまざまな異なるビュー方向を有する画像を取得することが可能である。
【００４２】
図２は、本発明によるステップのフローチャートを概略的に示す。第１のステップ３２において、ゲーティング信号が、例えば心電図によって、これ以降のステップのために供給される。第１の取得プロシージャ３４において、冠状動脈の左又は右分岐の一方の第１のゲーティングされたＸ線画像シーケンスが、冠状動脈の左又は右分岐の前記一方に注入された造影剤により、取得される。図２の例示の実施形態において、第１の取得ステップ３４は、冠状動脈の左分岐に関連する。
【００４３】
第２の取得ステップ３６において、冠状動脈の他方の分岐の第２のゲーティングされたＸ線画像シーケンスが、前記他方の分岐に注入された造影剤により、取得される。これは、図２に示されるケースにおいて、第２の取得ステップ３６が、冠状動脈の右分岐に関連することを意味する。
【００４４】
続いて、左及び右冠状動脈が、ゲーティングされた再構成ステップ３８において再構成され、冠状動脈のボリュームデータが生成される。ステップ３８の結果として、左冠状動脈の第１のボリュームデータ４０及び右冠状動脈の第２のボリュームデータが、次のステップのために供給される。左及び右冠状動脈の第１及び第２のボリュームデータ４０、４２は、空間及び時間関連の位置合わせステップ４４において位置合わせされる。このステップの結果は、左冠状動脈の第１の位置合わせされたボリュームデータ４８及び右冠状動脈の第２の位置合わせされたボリュームデータ５０である。次のステップにおいて、位置合わせされたボリュームデータ４８、５０は、組み合わせられ、組み合わせられた冠状動脈ツリーボリュームデータセット５２又はモデルは、結合及び生成ステップ５４において生成される。組み合わせられた冠状動脈ツリーボリュームデータセット５２は、視覚化ステップ５６において視覚化される。
【００４５】
例示の実施形態において、第１及び第２のゲーティングされたＸ線画像シーケンスは、回転冠状動脈血管造影画像シーケンスである。
【００４６】
図３には、図２に示される方法ステップの結果が示されている。図３は、組み合わせられた左冠状動脈分岐５８及び右冠状動脈分岐６０のボリュームレンダリングを示す。
【００４７】
図４は、組み合わせられた左冠状動脈分岐６２及び右冠状動脈分岐６４のボリュームレンダリングを含む、別の対象の組み合わせられた冠状動脈ツリーの別の例を示す。
【００４８】
図３及び図４に示される画像は、関心対象の、すなわち例えば患者の、冠状動脈状況に関する詳細な情報を、心臓専門医のようなユーザに提供する。冠状動脈ツリーの全体を観察することは、ユーザのために冠状動脈ジオメトリの評価を可能性として簡略化する。左及び右冠状動脈が、互いに対する直接的な関係において見られることができる。
【００４９】
更なる情報のために、本発明の例示の実施形態において、組み合わせられた冠状動脈ツリーボリュームデータセット、例えばモデル、が、各心位相ごとに生成され、各心位相は、ゲーティング信号に関して時間的に位置合わせされる。
【００５０】
図５に、心周期に関する４つの異なる画像フェーズをもつ、心周期に関する例示の実施形態が示されている。心周期は、通常、収縮期１０８及び拡張期１１０に分けられる。一例として、冠状動脈状況は、収縮期フェーズの開始及び収縮期フェーズの中央について、すなわち大動脈圧がその最大に達するところで、検査されるべきである。図５ｂには、圧力曲線１１２が概略的に示されている。曲線１１２に沿って、４つの異なるポイントが選択される。第１の冠状動脈ツリーボリュームデータセットのための第１のポイント１１４は、収縮期フェーズ１０８の開始にある。第２の冠状動脈ツリーボリュームデータセットのための第２のポイント１１６は、曲線１１２の最高点にある。第３のポイント１１８は、拡張期フェーズ１１０の開始にある。第４のポイント１２０は、拡張期フェーズ１１０の半分のところに関してセットされる。
【００５１】
図５ａは、図５ｂの上述の心周期に基づくステップを示す。最初に、ゲーティング信号１３２として、心電図１３０が、患者から得られる。取得ステップ１３４において、冠状動脈の左分岐の第１のゲーティングされたＸ線画像シーケンスが、左分岐に注入された造影剤により、取得される。第２の取得ステップ１３６において、冠状動脈の右分岐の第２のゲーティングされたＸ線画像シーケンスが、右分岐に注入された造影剤により、取得される。フローチャートに示されるように、心位相１０８、１１０又は心周期に関するゲーティング信号１３２の情報を使用することによって、４つの異なる情報の組１３４ａ、１３４ｂ、１３４ｃ、１３４ｄが、４つの異なる再構成ステップ１３８ａ、１３８ｂ、１３８ｃ、１３８ｄのために提供される。ゲーティング信号１３２の情報は、心周期曲線１１２の４つの選択されたポイント１１４、１１６、１１８、１２０に関して、心電図１３０を用いて得られる。これらの再構成ステップにおいて、左及び右冠状動脈が、ゲーティングされた形で再構成され、冠状動脈のボリュームデータ１４０ａ、１４０ｂ、１４０ｃ、１４０ｄが生成される。
【００５２】
同じことが、第２の画像シーケンス１３６にも当てはまり、ゲーティング信号１３２及び心電図１３０からの情報に従って、４つの異なる画像データセット１３６ａ、１３６ｂ、１３６ｃ、１３６ｄが、４つの異なる再構成ステップ１３８ａ、１３８ｂ、１３８ｃ、１３８ｄに供給される。
【００５３】
以下のステップは、図２に関連する説明を参照し、心周期の４つの選択されたポイントに従ってステップチェーンを増大させることによって、容易に理解される。簡単に述べると、各心位相ごとに、組み合わせられた冠状動脈ツリーボリュームデータセット又はモデルを生成するために、図２に関して記述したものと同様の４つのプロシージャが達成される。例えば、プロシージャは、順々に実施されることができる。より速く結果を得るために、互いに並行してプロシージャを実行することも可能である。しかしながら、その結果、４つの異なる組み合わせられた冠状動脈ツリーボリュームデータセット１５６ａ、ｂ、ｃ、ｄが得られる。
【００５４】
例えば、４つの異なる冠状動脈ツリーボリュームデータセット１５６ａ、ｂ、ｃ、ｄは、ディスプレイ上にフィルムシーケンスとして表示されることができる。
【００５５】
しかしながら、各心位相ごとに生成された４つの動脈ツリーボリュームデータセット１５６ａ、ｂ、ｃ、ｄを含む生成された冠状動脈ツリーフィルムシーケンスは、更なる検査プロシージャのために使用されることもできる。例えば、それら冠状動脈ツリーフィルムシーケンスは、左及び右動脈の変位量を決定するために使用されることができる。決定された変位値は、視覚的な値に変換されることができる。視覚的な値は、例えば明るさ又は色の特定の値でありえ、それぞれグレースケール値でありうる。視覚的な値を供給することによって、変位量が、ディスプレイ上に表示されることができる。一例として、図６は、冠状動脈の右及び左分岐の最大変位を示し、特定のグレースケール値が、特定の変位値を表す。例えば、左側において、右動脈ツリー分岐の部分２１２は、中度−高度の最大変位を有する。更に、同じ分岐の下流にある別の部分２１４は、高度の最大変位を有する。更に、別の部分２１６は、中度−高度の最大変位を有し、部分２１８は、中度−低度の最大変位を有する。図６の右側の左分岐は、高度の最大変位を有する部分２２０、中度−高度の最大変位を有する部分２２２、及び中度−低度の最大変位を有する部分２２４を有する。他の部分２２６は、中度−高度の最大変位を示し、この下流には、中度−低度の部分２２８及び低度の部分２３０が続く。
【００５６】
各心位相ごとに冠状動脈ツリーボリュームデータセット又はモデルを提供することによって、変位値を時間と関連づけることにより右及び左動脈の変位のスピードを決定することも可能である。決定されたスピード値は、視覚的な値に、すなわちそれぞれグレースケール値でありうる明るさの値又は色の値に、変換されることができる。これは、図７に例示的に示されるように、ディスプレイ上にスピードオカレンスを表示するために使用されることができる。
【００５７】
図７は、冠状動脈の左及び右分岐の最大スピード値を、特定のグレースケール値で示す。一例として、動脈ツリー分岐の一方の第１の部分３１２は、中度−高度の最大スピードを有する。分岐の下流の別の部分３１４は、高度の最大スピードを有する。更に、別の部分３１６は、中度−高度の最大スピードを示し、部分３１８は、中度−低度の最大スピードを示す。図７の右側の他方の分岐は、高度の最大スピード値をもつ部分３２０と、中度−高度の部分３２２と、中度−低度の最大スピード値をもつ部分３２４と、を有する。更に、別の部分３２６は、中度−高度の最大スピードを示し、その下流には、中度−低度の部分３２８及び低度の最大スピードをもつ部分３３０が続く。
【００５８】
こうして、図６及び図７に示される情報は、ユーザに、心臓の動きに関する動的な情報を提供し、これは、より詳しく精確な診断を可能にする。
【００５９】
それぞれ異なる心位相についてそれぞれの冠状動脈ツリーボリュームデータセット又はモデルを使用することによって得られる情報は、例えば異常な動きを自動的に検出するために、更に使用されることができる。これは、左及び右動脈の互いに対する変位が決定されることができるからである。変位は、プリセットされた変位値と比較されることができる。この比較に基づいて、ディスプレイ情報が生成され、ユーザに対して表示されることができる。これは、変位又は最大スピード値を綿密に研究することを必要とせずに、心臓の動きの潜在的な異常に関して迅速且つ容易にアクセス可能な情報を提供する。
【００６０】
本発明は、図面及び上述の説明において詳しく示され記述されているが、このような図示及び説明は、説明的又は例示的なものとして考えられるべきであり、制限的なものとして考えられるべきではない。本発明は、開示される実施形態に制限されない。
【図１】
0005543976.tif 000002
【図２】
0005543976.tif 000003
【図３】
0005543976.tif 000004
【図４】
0005543976.tif 000005
【図５ａ】
0005543976.tif 000006
【図５ｂ】
0005543976.tif 000007
【図６ａ】
0005543976.tif 000008
【図６ｂ】
0005543976.tif 000009
【図７ａ】
0005543976.tif 000010
【図７ｂ】
0005543976.tif 000011